(57)【要約】【課題】引き戸を強く閉めても大きな衝撃音を緩和することができ、しかも使用中に戸当たりクッションを構成する弾性体のへたりを防止するとともに、取り付け部分に多大の負荷がかかって破損したり脱落したりしやすいという問題も解消できる引き戸の戸当たり構造を提供することを目的とする。【解決手段】引き戸用縦枠の引き戸当接部に、取り付けられた引き戸の厚みより幅の広い凹溝を形成し、さらに凹溝内に設けた収納溝もしくは収納孔内に、戸当たりクッションの基部を取り付けるとともに、戸当たりクッションを収納溝もしくは収納孔から突き出させて、消音するようにしたことを特徴とする引き戸の戸当たり構造。【選択図】    図５
0003104724.tif 000002
【実用新案登録請求の範囲】
【請求項１】
引き戸用縦枠の引き戸当接部に、取り付けられた引き戸の厚みより幅の広い凹溝を形成し、さらに凹溝内に設けた収納溝もしくは収納孔内に、戸当たりクッションの基部を取り付けるとともに、戸当たりクッションを収納溝もしくは収納孔から突き出させて、消音するようにしたことを特徴とする引き戸の戸当たり構造。
【請求項２】
前記戸当たりクッションは、前記収納溝もしくは収納孔内に接着剤もしくは両面粘着テープを介して取り付けてなる請求項１に記載の引き戸の戸当たり構造。
【請求項３】
前記戸当たりクッションは、シート状弾性体、Ｕ字ないしＶ字形弾性体から選ばれてなる請求項１または２に記載の引き戸の戸当たり構造。
【考案の詳細な説明】
【技術分野】
【０００１】
この考案は、引き戸を閉める際の衝撃音を和らげ、あるいは商オンするようにした引き戸の戸当たり構造に関する。
【背景技術】
【０００２】
従来の引き戸用縦枠は平坦な部材を使用し、上下の引き戸用横枠に形成された溝内を引き戸が摺動移動するようになっている。そして、引き戸を完全に閉めた場合には、引き戸が引き戸用縦枠に当接して室内の明かりが漏れない構造となっている。
【０００３】
しかしながら、引き戸を強く閉めると引き戸が引き戸用縦枠に衝突して、大きな衝撃音が発生するという問題があった。そのため、引き戸を強く閉めても大きな衝撃音を緩和できる引き戸の戸当たり構造が特開平０９−０６０４１５号公報（特許文献１という）に示されている。すなわち、引き戸用縦枠に戸当たりクッションを取り付けたものである。
【特許文献１】特開平０９−０６０４１５号公報
【考案の開示】
【考案が解決しようとする課題】
【０００４】
しかしながら、引き戸を強く閉めると引き戸が引き戸用縦枠に衝突して大きな衝撃音が発生するという問題は、上記従来技術を用いた場合ある程度軽減されるものの、戸当たりクッションが引き戸の衝撃力を１００％受ける構造であるため、使用中に戸当たりクッションを構成する弾性体がへたりやすく、またその取り付け部分に多大の負荷がかかって破損したり脱落したりしやすいという問題があった。
【０００５】
この考案はかかる事情に鑑みてなされたもので、引き戸を強く閉めても大きな衝撃音を緩和することができ、しかも使用中に戸当たりクッションを構成する弾性体のへたりを防止するとともに、取り付け部分に多大の負荷がかかって破損したり脱落したりしやすいという問題も解消できる引き戸の戸当たり構造を提供することを目的とする。
【課題を解決するための手段】
【０００６】
すなわちこの考案の引き戸の戸当たり構造は、引き戸用縦枠の引き戸当接部に、取り付けられた引き戸の厚みより幅の広い凹溝を形成し、さらに凹溝内に設けた収納溝もしくは収納孔内に、戸当たりクッションの基部を取り付けるとともに、戸当たりクッションを収納溝もしくは収納孔から突き出させて、消音するようにしたことを特徴とするものである。
【０００７】
この考案の引き戸の戸当たり構造において、前記戸当たりクッションは、前記収納溝もしくは収納孔内に接着剤もしくは両面粘着テープを介して取り付けてなることをも特徴とするものである。
【０００８】
さらにこの考案の引き戸の戸当たり構造において、前記戸当たりクッションは、シート状弾性体、Ｕ字ないしＶ字形弾性体から選ばれてなることをも特徴としている。
【考案の効果】
【０００９】
この考案の引き戸の戸当たり構造は、引き戸用縦枠に引き戸の厚みより幅の広い凹溝を形成しているので、引き戸を閉めた場合には、引き戸の端部がこの凹溝内に嵌入する。そして、凹溝に設けた収納溝もしくは収納孔内に、戸当たりクッションの基部を取り付けるとともに、戸当たりクッションを収納溝もしくは収納孔から突き出させて、消音するようにしているので、引き戸を強く閉めた場合の衝撃音が大幅に緩和される。
【００１０】
また、この考案の引き戸の戸当たり構造によれば、使用中に戸当たりクッションを構成する弾性体のへたりを防止することができるとともに、取り付け部分に多大の負荷がかかって破損したり脱落したりしやすいという問題も解消できるようになった。
【考案を実施するための最良の形態】
【００１１】
以下、添付した図面を参照しつつ、この考案を具体化した実施の形態について詳細に説明する。
図１はこの考案の１実施例に係る引き戸の戸当たり構造の概略説明図で、引き戸が開いている状態を示す側面図、図２は閉じた状態を示す側面図、図３は引き戸用縦枠の内面図、図４は引き戸が開いている状態を示す縦断面図、図５はその横断面図、図６は引き戸が閉じた状態を示す縦断面図、図７はその横断面図、図８（ａ）はこの考案の他の実施例を示す引き戸が開いた状態の横断面図、（ｂ）は引き戸が閉じた状態を示す横断面図である。
【００１２】
図１ないし図７に示すように、この考案の実施例に係る引き戸の戸当たり構造１０は、引き戸１１が当接する引き戸用縦枠１２に凹溝１３を形成し、さらに凹溝１３内に設けた収納溝もしくは収納孔１４内に、戸当たりクッション１５の基部１６を取り付けるとともに、戸当たりクッション１５の先端部分１７を収納溝もしくは収納孔１４から突き出させ、そのクッション作用により消音するようにしたものである。
【００１３】
前記凹溝 １３の幅Ｗは、引き戸１１の厚みＴの１．１〜１．５倍程度となって、凹溝 １３の深さは、３〜１．５ｍｍ程度となっている。また、凹溝 １３内には収納溝もしくは収納孔１４が凹溝 １３の幅Ｗの１／２〜１／１の幅で設けられ、その内部には戸当たりクッション１５が取り付けられている。収納溝もしくは収納孔１４が収納孔である場合、図３の点線で示したように適当ピッチで２個以上形成してもよく、それぞれに戸当たりクッション１５を取り付ける。
【００１４】
前記戸当たりクッション１５は、弾性体（例えばゴム、発泡プラスチック材料、軟質塩化ビニール、皮革等）からなっており、なおかつＵ字ないしＶ字形をなしていて、その一方の側の基部１６を収納溝もしくは収納孔１４内に取り付けるとともに、他方の側の先端部分１７を成している。このＵ字ないしＶ字形構造からなる弾性体の構造が、引き戸１１を所定の弾性をもって受け止め、無理なく消音するのである。
【００１５】
前記引き戸の戸当たり構造１０において、前記戸当たりクッション１５は、前記収納溝もしくは収納孔１４内に接着剤もしくは両面粘着テープ１８を介して取り付けることが可能である。もちろん、ビス止めや弾性を利用した側面凹部への圧入、その他の手段で固定してもよい。
【００１６】
この引き戸の戸当たり構造１０においては、図１および図４、図５の開いた状態から、引き戸１１を閉じる方向にスライドさせた場合、引き戸用縦枠１２に設けた凹溝１３内に引き戸１１の端部が嵌入し、前記収納溝もしくは収納孔１４の前面から突き出ている戸当たりクッション１５の先端部分１７に当接する。その後、戸当たりクッション１５の弾性による反発力を受けながら所定の位置まで閉じられて、引き戸用縦枠１２に当たることなく停止して、図２および図６、図７の閉じた状態となる。そして、激しく引き戸１１を閉めた場合にも、引き戸１１の端部が戸当たりクッション１５に受け止められてその衝撃が大幅に緩和され、確実に消音される。
【００１７】
前記実施例においては、戸当たりクッションをＵ字ないしＶ字形構造からなる弾性体の構造としたが、図８（ａ）および（ｂ）に示す引き戸の戸当たり構造２０のように、戸当たりクッションをシート状弾性体構造とすることもできる。この実施例でも、（ａ）の引き戸２１が引き戸用縦枠２２に設けた凹溝２３内に引き戸２１の端部が嵌入し、前記収納溝もしくは収納孔２４の前面から突き出ている戸当たりクッション２５の先端部分２７に当接する。その後、戸当たりクッション２５の弾性による反発力を受けながら所定の位置まで閉じられて、引き戸用縦枠２２に当たることなく停止して、（ｂ）の閉じた状態となる。そして、激しく引き戸２１を閉めた場合にも、引き戸２１の端部が戸当たりクッション２５に受け止められてその衝撃が大幅に緩和され、確実に消音される。
なお前記において、戸当たりクッション２５の基部２６は収納溝もしくは収納孔２４内に収納保持され、先端部分２７は収納溝もしくは収納孔２４から突き出ている。２８は接着剤もしくは両面粘着テープである。
【産業上の利用可能性】
【００１８】
この考案の引き戸の戸当たり構造は、一般の住宅内における引き戸のみならず、各種の建築物や家具、厨房機器、あるいはその他の引き戸を利用する開口部に適宜利用することができる。もちろん、引き戸が開閉する側の引き戸用縦枠のみならず、引き戸の反対側の引き戸用縦枠にも同様の引き戸の戸当たり構造を採用することができる。
【図面の簡単な説明】
【００１９】
【図１】この考案の１実施例に係る引き戸の戸当たり構造の概略説明図で、引き戸が開いている状態を示す側面図である。
【図２】閉じた状態を示す側面図である。
【図３】引き戸用縦枠の内面図である。
【図４】引き戸が開いている状態を示す縦断面図である。
【図５】その横断面図である。
【図６】引き戸が閉じた状態を示す縦断面図である。
【図７】その横断面図である。
【図８】（ａ）はこの考案の他の実施例を示す引き戸が開いた状態の横断面図、（ｂ）は引き戸が閉じた状態を示す横断面図である。
【符号の説明】
【００２０】
１０ 引き戸の戸当たり構造
１１ 引き戸 
１２ 引き戸用縦枠
１３ 凹溝 
１４ 収納溝もしくは収納孔
１５ 戸当たりクッション
１６ 基部
１７ 先端部分
１８ 接着剤もしくは両面粘着テープ
２０ 引き戸の戸当たり構造
２１ 引き戸
２２ 引き戸用縦枠
２３ 凹溝
２４ 収納溝もしくは収納孔
２５ 戸当たりクッション
２６ 基部
２７ 先端部分
【図１】
0003104724.tif 000003
【図２】
0003104724.tif 000004
【図３】
0003104724.tif 000005
【図４】
0003104724.tif 000006
【図５】
0003104724.tif 000007
【図６】
0003104724.tif 000008
【図７】
0003104724.tif 000009
【図８】
0003104724.tif 000010